(57)【特許請求の範囲】
【請求項１】
人毛、人工毛又はこれらの混交毛から成る毛束と、
該毛束の根元において長さ方向に所定の範囲で毛束に塗布された水溶性糊剤と、
該水溶性糊剤の塗布範囲全長に一端を剥離可能に接着され、接着部分に続く部分で所定の大きさの輪を形成し、該輪に続く残る他端を前記接着されている一端に添い付けて前記毛束の先方向に引き出されて配置された紐部材と、
前記毛束の根元と前記紐部材の接着部と引き出し部とを合わせた全体の径よりも大きな内径を有し、該内径の内壁の一部によって前記毛束の根元に接着し、前記水溶性糊剤の塗布範囲と前記接着された紐部材の一端と該紐部材の他端の添い付け部とからなる部分の上約半分を被うように配置された熱収縮性チューブと、
から成ることを特徴とする付け毛用毛束ユニット。
【請求項２】
前記熱収縮性チューブは、前記内径の内壁の全面に熱溶融性の接着剤を塗布されていることを特徴とする請求項１記載の付け毛用毛束ユニット。
【請求項３】
人毛、人工毛又はこれらの混交毛から成る毛束と、該毛束の根元において長さ方向に所定の範囲で毛束に塗布された水溶性糊剤と、該水溶性糊剤の塗布範囲全長に一端を剥離可能に接着され、接着部分に続く部分で所定の大きさの輪を形成し、該輪に続く残る他端を前記接着されている一端に添い付けて前記毛束の先方向に引き出されて配置された紐部材と、前記毛束の根元と前記紐部材の接着部と引き出し部とを合わせた全体の径よりも大きな内径を有し、該内径の内壁の一部によって前記毛束の根元に接着し、前記水溶性糊剤の塗布範囲と前記接着された紐部材の一端と該紐部材の他端の添い付け部とからなる部分の上約半分を被うように配置された熱収縮性チューブと、から成る付け毛用毛束ユニットを用い、
該毛用毛束ユニットの前記輪の中に任意本数の自毛を挿通し、
前記輪に続く残る他端の前記熱収縮性チューブの前記輪の反対側に引き出されている部分を引くことにより前記輪の中に挿通された前記自毛を前記輪と共に引き出すと共に前記紐部材の一端を接着部から剥離し、
前記自毛と前記毛束とを揃えて内包する前記熱収縮性チューブを挟み鏝で挟持して押圧して前記熱収縮性チューブに熱と圧力を加え、
前記熱収縮性チューブの非可逆的熱収縮力によって前記自毛と前記毛束とを固定する、
ことを特徴とする付け毛用毛束ユニットの毛束固着方法。
【請求項４】
前記熱収縮性チューブは、前記内径の内壁の全面に熱溶融性の接着剤を塗布されており、前記挟み鏝で挟持され押圧されて熱と圧力を加えられることにより、非可逆的に熱収縮すると共に前記熱溶融性の接着剤を溶融させて、その凝固により前記自毛と前記毛束との固着を助成させる、ことを特徴とする請求項３記載の付け毛用毛束ユニットの毛束固着方法。
【発明の詳細な説明】
【技術分野】
【０００１】
本発明は、増毛用の毛束の装着の容易な付け毛用毛束ユニット及びその毛束の固着方法に関する。
【背景技術】
【０００２】
従来、自毛が比較的薄くなりかけている人が、あたかも豊富な自毛があるように見せるために自毛に取り付ける増毛材として、人毛、人工毛又はこれらの混交毛からなる毛束がある。また、このような毛束は、増毛材としだけでなく、部分染めの代わりに自毛の色とは異なる色の毛束を自毛の任意の箇所に取り付けておしゃれに用いる場合もある。
【０００３】
この場合、自毛への毛束の取り付けを出来るだけ迅速に行うことができるように、その取り付け方法として自毛と毛束との種々の結び方が提案がなされている。（例えば、特許文献１及び２参照。）
上記の特許文献１及び２の技術は、いずれも自毛と毛束との特殊な結び方、つまり特殊な結び目の形状を構成するものであるが、このように特殊な結び目の形状で自毛と毛束を固定するのではなく、熱収縮チューブによって自毛と毛束を固定する方法も提案されている。（例えば、特許文献３及び４参照。）
【特許文献１】特開２００２−０２０９２２号公報（［要約］、図１）
【特許文献２】特開平０７−１７３７０４号公報（段落［００１１］〜［００１３］、［００１７］〜［００２０］、図１、図６、図８）
【特許文献３】特開２００３−２４７１１４号公報（［要約］、図１〜図３）
【特許文献４】特開２００４−００３１０７号公報（［要約］、図３、図４）
【発明の開示】
【発明が解決しようとする課題】
【０００４】
ところで、上記の特許文献１又は２に見られる自毛と毛束との特殊な結び目の形状で自毛と毛束を固定する方法は、極めて高度の手法を要するもので、誰でも出来るという簡単な方法ではない。また、そのような特殊な結び目を形成するために更に特別な道具を必要とするに至っては益々簡単な方法というわけにはいかない。
【０００５】
それに比較して上記の特許文献３又は４に見られる熱収縮性のチューブを用いる方法は自毛と毛束とで特殊な結び方をする必要がないので、より簡単な方法に思われるが、特許文献３及び４は、いずれも単体の熱収縮性のチューブをそのまま用いているだけで、この熱収縮性のチューブに自毛と毛束の両方を挿通するために極めて特殊な手法を用いており、方法が面倒である点においては特許文献１又は２の技術と大差がない。
【０００６】
本発明の課題は、上記従来の実情に鑑み、増毛用の毛束の装着が容易な付け毛用毛束ユニット及びその毛束の固着方法を提供することである。
【課題を解決するための手段】
【０００７】
先ず、第１の発明の付け毛用毛束ユニットは、人毛、人工毛又はこれらの混交毛から成る毛束と、該毛束の根元において長さ方向に所定の範囲で毛束に塗布された水溶性糊剤と、該水溶性糊剤の塗布範囲全長に一端を剥離可能に接着され、接着部分に続く部分で所定の大きさの輪を形成し、該輪に続く残る他端を上記接着されている一端に添い付けて上記毛束の先方向に引き出されて配置された紐部材と、上記毛束の根元と上記紐部材の接着部と引き出し部とを合わせた全体の径よりも大きな内径を有し、該内径の内壁の一部によって上記毛束の根元に接着し、上記水溶性糊剤の塗布範囲と上記接着された紐部材の一端と該紐部材の他端の添い付け部とからなる部分の上約半分を被うように配置された熱収縮性チューブと、から構成される。
【０００８】
上記熱収縮性チューブは、例えば、上記内径の内壁の全面に熱溶融性の接着剤を塗布されて構成されていることが好ましい。
次に、第２の発明の付け毛用毛束ユニットの毛束固着方法は、人毛、人工毛又はこれらの混交毛から成る毛束と、該毛束の根元において長さ方向に所定の範囲で毛束に塗布された水溶性糊剤と、該水溶性糊剤の塗布範囲全長に一端を剥離可能に接着され、接着部分に続く部分で所定の大きさの輪を形成し、該輪に続く残る他端を上記接着されている一端に添い付けて上記毛束の先方向に引き出されて配置された紐部材と、上記毛束の根元と上記紐部材の接着部と引き出し部とを合わせた全体の径よりも大きな内径を有し、該内径の内壁の一部によって上記毛束の根元に接着し、上記水溶性糊剤の塗布範囲と上記接着された紐部材の一端と該紐部材の他端の添い付け部とからなる部分の上約半分を被うように配置された熱収縮性チューブと、から成る付け毛用毛束ユニットを用い、該毛用毛束ユニットの上記輪の中に任意本数の自毛を挿通し、上記輪に続く残る他端の上記熱収縮性チューブの上記輪の反対側に引き出されている部分を引くことにより上記輪の中に挿通された上記自毛を上記輪と共に引き出すと共に上記紐部材の一端を接着部から剥離し、上記自毛と上記毛束とを揃えて内包する上記熱収縮性チューブを挟み鏝で挟持して押圧して上記熱収縮性チューブに熱と圧力を加え、上記熱収縮性チューブの非可逆的熱収縮力によって上記自毛と上記毛束とを固定する、ように構成される。
【０００９】
この方法において、例えば、上記熱収縮性チューブは、上記内径の内壁の全面に熱溶融性の接着剤を塗布されており、上記挟み鏝で挟持され押圧されて熱と圧力を加えられることにより、非可逆的に熱収縮すると共に上記熱溶融性の接着剤を溶融させて、その凝固により上記自毛と上記毛束との固着を助成させるようにしても良い。
【発明の効果】
【００１０】
本発明によれば、単に熱収縮性チューブを単体で使用するのではなく、予め毛束の根元に熱収縮性チューブを接着して配置すると共に、自毛を引き込む輪を有する紐部材を、自毛を引き込んだ後には直ちに剥離できるように毛束の根元に取り付けるので、自毛と毛束を揃えて熱収縮性チューブに挿通することが容易に出来、これにより、増毛用の毛束の装着が容易な付け毛用毛束ユニット及びその毛束の固着方法を提供することが可能となる。
【００１１】
また、熱収縮性チューブの内壁に予め熱溶融性の接着剤を塗布しておくこともでき、この場合は、チューブの熱収縮だけでなく熱溶融性の接着剤の溶融と凝固により、より強力に自毛と毛束を固着させることができる。
【発明を実施するための最良の形態】
【００１２】
以下、本発明の実施の形態を図面を参照しながら説明する。
【実施例１】
【００１３】
図１は、第１の実施の形態としての付け毛用毛束ユニットの構成を示す図である。同図に示すように付け毛用毛束ユニット１は、人毛、人工毛又はこれらの混交毛から成る毛束２と、この毛束の根元において長さ方向に所定の範囲３で毛束２に塗布された水溶性の糊剤４と（塗布された糊剤であるので図では定かには見えない）、この糊剤４の塗布範囲３の全長にわたって一端５ａを剥離可能に接着され、この接着部分に続く部分で所定の大きさの輪５ｂを形成し、この輪５ｂに続く残る他端５ｃを接着されている一端５ａに添い付けて毛束２の先方向に引き出されて配置された紐部材５と、を備えている。
【００１４】
そして、更に、毛束２の根元と紐部材５の接着部と引き出し部とを合わせた全体の径よりも大きな内径を有し、この内径の内壁の一部によって毛束２の根元に接着し、糊剤４の塗布範囲３と接着された紐部材５の一端５ａと他端５ｃの添い付け部とからなる部分の上約半分を被うように配置された熱収縮性チューブを備えている。
【００１５】
上記の人工毛２は、例えばナイロン等の先染め又は後染めの合成繊維フィラメントを用いることができる。また、糊剤４は、例えばポリビニールアルコールのような、水溶性エマルジョンが形成しやすく、固化しやすく且つ水に溶け易い素材を用いるのが好ましい。これは、後述するように、自毛と毛束２を固着させたのち、熱収縮性チューブ６の下方に残る糊剤４を、水で容易に洗い落とすことが出来るようにするためである。
【００１６】
また、紐部材５は、自毛を２つ折りにして熱収縮性チューブ６内に引き込み、更に熱収縮性チューブ６の下方に引き出すに足るだけの強力を有するものであれば何でもよい。また、この紐部材５で熱収縮性チューブ６の上方に形成する輪５ｂの径ａは、おおよそ４０ｍｍ程度の大きさであれば十分に自毛を輪５ｂ内に導き入れることが出来る。もっとも、輪５ｂの径ａは、４０ｍｍに限るものではなく、これよりも大きくても又は小さくても良いことは言うまでもない。
【００１７】
また、熱収縮性チューブ６は、その内径の内壁の全面に熱溶融性の接着剤を塗布されて構成されるようにしても良い。こうすると、後述するように、自毛と毛束２を固着させたとき、熱収縮性チューブ６の熱収縮だけでなく、熱溶融性の接着剤の溶融と凝固により、より強力に自毛と毛束２を固着させることができる。
【００１８】
図２Ａ，図２Ｂ及び図３Ａ，図３Ｂは、上記の付け毛用毛束ユニット１を製作する工程を示す図である。図２Ａに示すように、先ず、人毛、人工毛又はこれらの混交毛から成る毛束２を用意する。この毛束２の全長ｂは、およそ３０ｃｍ程度が良いが、勿論３０ｃｍよりも長くても短くても良い。
【００１９】
次に、この毛束２の根元、つまり図２Ａでは上端部に、長さｃの範囲（図１の塗布範囲３と同じ）で水溶性の糊剤４を塗布する。この糊剤４の塗布の方法は、刷毛等で塗布してもよいが、毛束２を逆にして、糊剤４を満たした槽中に毛束２の根元を浸漬させて引き上げる方法でもよい。この糊剤４を塗布する範囲の長さｃは、およそ１２ｍｍ程度が好ましいが、勿論１２ｍｍよりも長くても短くても良い。
【００２０】
ここで、予め用意した長さｄの熱収縮性チューブ６を、上記糊剤４が塗布されている部分の上部に外嵌させて、熱収縮性チューブ６の内壁の一部を毛束２の根元に接着させる。熱収縮性チューブ６の長さｄは、およそ７ｍｍ程度であることが好ましいが、この場合も７ｍｍよりも長くても短くても良いことは言うまでもない。
【００２１】
また、このとき、図２Ｂに示すように、熱収縮性チューブ６の下方に、糊剤４の塗布部分が長さｅ程度露出して残るようにする。この露出部分の長さｅは、糊剤４の塗布部分の長さｃから熱収縮性チューブ６の長さｄを差し引いた長さであり、処理作業の誤差を含めておよそ６〜７ｍｍ程度である。勿論、糊剤４の塗布部分が長さｃや熱収縮性チューブ６の長さｄの変動によって、糊剤４の塗布部分の露出する長さｅも変動する。
【００２２】
この後、図２Ｂに示すように、熱収縮性チューブ６の内部において、糊剤４の塗布部分が長さｃ、つまり糊剤４の塗布範囲３の全長にわたって、紐部材５の一端５ａを接着する。糊剤４は前述したように、ポリビニールアルコールのような弱い接着性の素材からなり、接着された紐部材５の一端５ａは強く引くことにより容易に毛束２から剥離可能である。
【００２３】
ここで用いられる紐部材５の全長ｆは、３５ｃｍ程度の長さでよいが、この場合も３５ｍｍよりも長くても短くても良いことは言うまでもない。
続いて、紐部材５の上記の接着部分に続く部分で所定の大きさの輪５ｂを形成しながら、この輪５ｂに続く残る他端５ｃを熱収縮性チューブ６内に図３Ａの矢印ｇで示すように挿通する。そして、この挿通した他端５ｃを、図３Ｂに示すように、上記接着されている一端５ａに添い付けて毛束２の先方向に引き出さして配置する。これにより、図１に示した付け毛用毛束ユニット１が完成する。
【実施例２】
【００２４】
図４Ａ，図４Ｂ，図４Ｃ及び図５Ａ，図５Ｂ，図５Ｃは、第２の実施の形態としての付け毛用毛束ユニットの自毛への毛束固着方法を示す図である。図４Ａに示すように、先ず、取り付け技師（又は付け毛用毛束ユニット１を装着する本人、以下同様）は、付け毛用毛束ユニット１の紐部材５で形成されている輪５ｂの中に、自毛７の先端部を引き入れる。輪５ｂは上述したように、その径がおよそ４０ｍｍの大きさに形成されているので、輪５ｂの中への自毛７の引き入れは容易である。
【００２５】
この後、熱収縮性チューブ６よりも下方に引き出されている紐部材５の他端５ｃを、図４Ａの矢印ｈで示すように下方に引っ張る。その他端５ｃを、引き続き図４Ｂの矢印ｊで示すように下方に引くことにより、図４Ｂに示すように、輪５ｂが小さくなりながら自毛７を２つ折りにして、その２つ折りにした自毛７を、図４Ｂの矢印ｉで示すように熱収縮性チューブ６内に引き込んでいく。
【００２６】
そして、最後には、図４Ｃに示すように、完全に熱収縮性チューブ６から下方に引き出された紐部材５の輪５ｂを形成していた部分が伸びきって、自毛７の先端が熱収縮性チューブ６の下方に引き出されると共に、紐部材５の一端５ａが糊剤４との接着部分から剥離して、捨て去られる。これにより、熱収縮性チューブ６内で、付け毛用毛束ユニット１の毛束２の根元部分と自毛７の適宜の取り付け部分とが揃って配置される。
【００２７】
この作業では、図５Ａに示すように、予め挟み鏝８が用意される。挟み鏝８は、電源コード９が根元に付いたハンドル部１１と、このハンドル部１１の先端から延び出して配置された２本のアーム１２と、これらのアーム１２の先端にそれぞれ配設された鏝部１３を備えている。また、ハンドル部１１の側面には、後端部近傍に電源スイッチ１４が設けられ、先端部近傍にはアーム開閉スイッチ１５が設けられている。
【００２８】
取り付け技師は、予め挟み鏝８の電源コード９の先端にある図外のプラグを室内の適宜の商用電源のコンセントに差込み、電源スイッチ１４を入れてアーム１２先端部の鏝部１３を加熱してある。
【００２９】
そして、上述したように、内部に毛束２の根元部分と自毛７の適宜の毛束取り付け部分とが揃って配置された熱収縮性チューブ６を片手で支えた後、上記挟み鏝８を取り上げ、ハンドル部１１の側面先端近傍にあるアーム開閉スイッチ１５を開閉操作して、図５Ｂに示すように、挟み鏝８の加熱されている鏝部１３で熱収縮性チューブ６を両側から挟み込む。これにより、熱収縮性チューブ６が収縮して毛束２の根元部分が自毛７の毛束取り付け部分に強固に固着される。
【００３０】
尚、熱収縮性チューブ６として、その内径壁面に予め熱溶融性接着剤を塗布してあるものを用いるのが好ましい。そうすると、上記熱による熱収縮性チューブ６が収縮と共に、熱溶融性接着剤が溶融し、その溶融した接着剤が毛束２の根元部分及び自毛７の毛束取り付け部分に浸透して凝固するので、毛束２の根元部分と自毛７の毛束取り付け部分とが、より強固に固着されるようになる。
【００３１】
また、このように自毛７に毛束２を取り付け後において、熱収縮性チューブ６の下方に図３Ａに示したように長さｅで露出している糊剤４の塗布部分は、上記の熱処理の影響を受けて白く変質する場合もあるが、元来この糊剤４は、紐部材５の一端５ａと熱収縮性チューブ６を毛束２の根元に仮接着させておくだけの用途であり、また、前述したように水溶性の糊剤エマルジョンを乾燥固化させただけのものであるので、毛髪の水洗により洗い流して容易に除去することができるので、全く支障はない。
【００３２】
尚、上記実施の形態では、毛束２を増毛用（つまり自毛と同色）の毛束として説明したが、これに限ることなく、おしゃれ用として自毛とは異なる色の毛束から成る付け毛用毛束ユニットにより、自毛を部分染めする代わりに用いてもよい。
【図面の簡単な説明】
【００３３】
【図１】第１の実施の形態としての付け毛用毛束ユニットの構成を示す図である。
【図２Ａ】付け毛用毛束ユニットを製作する工程を示す図（その１）である。
【図２Ｂ】付け毛用毛束ユニットを製作する工程を示す図（その２）である。
【図３Ａ】付け毛用毛束ユニットを製作する工程を示す図（その３）である。
【図３Ｂ】付け毛用毛束ユニットを製作する工程を示す図（その４）である。
【図４Ａ】第２の実施の形態としての付け毛用毛束ユニットの自毛への毛束固着方法を示す図（その１）である。
【図４Ｂ】第２の実施の形態としての付け毛用毛束ユニットの自毛への毛束固着方法を示す図（その２）である。
【図４Ｃ】第２の実施の形態としての付け毛用毛束ユニットの自毛への毛束固着方法を示す図（その３）である。
【図５Ａ】第２の実施の形態としての付け毛用毛束ユニットの自毛への毛束固着方法を示す図（その４）である。
【図５Ｂ】第２の実施の形態としての付け毛用毛束ユニットの自毛への毛束固着方法を示す図（その５）である。
【図５Ｃ】第２の実施の形態としての付け毛用毛束ユニットの自毛への毛束固着方法を示す図（その６）である。
【符号の説明】
【００３４】
１      付け毛用毛束ユニット
２      毛束
３      塗布範囲
４      糊剤
５      紐部材
５ａ  一端
５ｂ  輪
５ｃ  他端
６      熱収縮性チューブ
ａ      輪の径
ｂ      毛束の全長
ｃ      糊剤の塗布範囲の長さ
ｄ      熱収縮性チューブの長さ
ｅ      糊剤塗布部分の露出部分の長さ
ｆ      紐部材の全長
７      自毛
８      挟み鏝
９      電源コード
１１    ハンドル部
１２    アーム
１３    鏝部
１４    電源スイッチ
１５    アーム開閉スイッチ
【図１】
0003711133.tif 000002
【図２Ａ】
0003711133.tif 000003
【図２Ｂ】
0003711133.tif 000004
【図３Ａ】
0003711133.tif 000005
【図３Ｂ】
0003711133.tif 000006
【図４Ａ】
0003711133.tif 000007
【図４Ｂ】
0003711133.tif 000008
【図４Ｃ】
0003711133.tif 000009
【図５Ａ】
0003711133.tif 000010
【図５Ｂ】
0003711133.tif 000011
【図５Ｃ】
0003711133.tif 000012